【手続補正書】
【提出日】平成31年4月23日(2019.4.23)
【手続補正１】
【補正対象書類名】特許請求の範囲
【補正対象項目名】全文
【補正方法】変更
【補正の内容】
【特許請求の範囲】
【請求項１】
無線通信を行う通信部と、
スロット長が互いに異なる第１のサービングセルおよび第２のサービングセルそれぞれとの間の通信のための電力を割り当てる制御部と、
を備え、
前記制御部は、
前記第１のサービングセルで発生する第１の上りリンク物理チャネルの送信電力を、第１の時間単位に基づいて計算し、
前記第２のサービングセルで発生する第２の上りリンク物理チャネルの送信電力を、第２の時間単位に基づいて計算する、
端末装置。
【請求項２】
前記第１の時間単位と、前記第２の時間単位とは、略等しい値となるように設定される、請求項１に記載の端末装置。
【請求項３】
前記第１の時間単位と、前記第２の時間単位とは、ＬＴＥ（Long  Term  Evolution）のスロット長と略等しくなるように設定される、請求項１又は２に記載の端末装置。
【請求項４】
前記第１の時間単位と、前記第２の時間単位とは、前記第１のサービングセルにおけるスロット長と、前記第２のサービングセルにおけるスロット長とのうち、最大値と略等しくなるように設定される、請求項２に記載の端末装置。
【請求項５】
前記第１の時間単位と、前記第２の時間単位とは、互いに異なる値となるように設定される、請求項１に記載の端末装置。
【請求項６】
前記第１の時間単位は、前記第１のサービングセルにおけるスロット長と略等しくなるように設定され、
前記第２の時間単位は、前記第２のサービングセルにおけるスロット長と略等しくなるように設定される、
請求項５に記載の端末装置。
【請求項７】
前記第１の時間単位は、前記第１の上りリンク物理チャネルが発生する期間と略等しくなるように設定され、
前記第２の時間単位は、前記第２の上りリンク物理チャネルが発生する期間と略等しくなるように設定される、
請求項５に記載の端末装置。
【請求項８】
前記第２の時間単位は、前記第１の時間単位の整数倍である、請求項５〜７のいずれか１項に記載の端末装置。
【請求項９】
前記第１のサービングセルと前記第２のサービングセルとが同じセルグループに属し、
前記第１の上りリンク物理チャネルは、前記第２の上りリンク物理チャネルと時間軸で重なり、
前記第１の上りリンク物理チャネルとさらに時間軸で重なり、かつ前記第２のサービングセルで発生する第３の上りリンク物理チャネルは、前記第２の上りリンク物理チャネルの後に発生する場合に、
前記第１の上りリンク物理チャネルと前記第２の上りリンク物理チャネルに乗算される第１のスケーリングファクタと、前記第３の上りリンク物理チャネルに乗算される第２のスケーリングファクタとは個別に決定される、
請求項８に記載の端末装置。
【請求項１０】
前記第１のスケーリングファクタは、前記第１の上りリンク物理チャネルと前記第２の上りリンク物理チャネルとの間の送信電力の合計に対して、当該第１のスケーリングファクタを乗算した値が、最大上りリンク送信電力を超えない範囲で決定される、
請求項９に記載の端末装置。
【請求項１１】
前記第２のスケーリングファクタは、前記第３の上りリンク物理チャネルの送信電力に当該第２のスケーリングファクタを乗算した値が、最大上りリンク送信電力から、前記第１の上りリンク物理チャネルの送信電力と前記第１のスケーリングファクタとを乗算した値を減算した値を超えない範囲で決定される、
請求項９又は１０に記載の端末装置。
【請求項１２】
前記第１のサービングセルと前記第２のサービングセルとが同じセルグループに属し、
前記第１の上りリンク物理チャネルは、前記第２の上りリンク物理チャネルと時間軸で重なり、
前記第１の上りリンク物理チャネルと時間軸で重なり、かつ前記第２のサービングセルで発生する第３の上りリンク物理チャネルが、前記第２の上りリンク物理チャネルの後に発生する場合に、
前記第１の上りリンク物理チャネル、前記第２の上りリンク物理チャネル、および前記第３の上りリンク物理チャネルそれぞれには、共通のスケーリングファクタが乗算される、請求項５〜１１のいずれか１項に記載の端末装置。
【請求項１３】
前記スケーリングファクタは、
前記第２の上りリンク物理チャネルの送信電力と、前記第３の上りリンク物理チャネルの送信電力と、の間の最大値と、
前記第１の上りリンク物理チャネルの送信電力と、
の合計に対して、当該スケーリングファクタを乗算した値が、最大上りリンク送信電力を超えない範囲で決定される、
請求項１２に記載の端末装置。
【請求項１４】
前記スケーリングファクタは、
前記第１の上りリンク物理チャネルの送信電力と、前記第２の上りリンク物理チャネルの送信電力との合計と、
前記第１の上りリンク物理チャネルの送信電力と、前記第３の上りリンク物理チャネルの送信電力との合計と、
の間の最大値に対して、当該スケーリングファクタを乗算した値が、最大上りリンク送信電力を超えない範囲で決定される、
請求項１２又は１３に記載の端末装置。
【請求項１５】
無線通信を行う通信部と、
スロット長が互いに異なる第１のサービングセルおよび第２のサービングセルを設定する制御部と、
を備え、
前記制御部は、
前記第１のサービングセルで発生する第１の上りリンク物理チャネルの送信電力を算出するための第１の単位時間を設定し、
前記第２のサービングセルで発生する第２の上りリンク物理チャネルの送信電力を算出するための第２の単位時間を設定する、
基地局装置。
【請求項１６】
無線通信を行うことと、
プロセッサが、スロット長が互いに異なる第１のサービングセルおよび第２のサービングセルそれぞれとの間の通信のための電力を割り当てることと、
前記第１のサービングセルで発生する第１の上りリンク物理チャネルの送信電力を、第１の時間単位に基づいて計算することと、
前記第２のサービングセルで発生する第２の上りリンク物理チャネルの送信電力を、第２の時間単位に基づいて計算することと、
を含む、通信方法。
【請求項１７】
無線通信を行うことと、
プロセッサが、スロット長が互いに異なる第１のサービングセルおよび第２のサービングセルを設定することと、
前記第１のサービングセルで発生する第１の上りリンク物理チャネルの送信電力を算出するための第１の単位時間を設定することと、
前記第２のサービングセルで発生する第２の上りリンク物理チャネルの送信電力を算出するための第２の単位時間を設定することと、
を含む、通信方法。
【請求項１８】
コンピュータに、
無線通信を行うことと、
スロット長が互いに異なる第１のサービングセルおよび第２のサービングセルそれぞれとの間の通信のための電力を割り当てることと、
前記第１のサービングセルで発生する第１の上りリンク物理チャネルの送信電力を、第１の時間単位に基づいて計算することと、
前記第２のサービングセルで発生する第２の上りリンク物理チャネルの送信電力を、第２の時間単位に基づいて計算することと、
を実行させる、プログラム。
【請求項１９】
コンピュータに、
無線通信を行うことと、
スロット長が互いに異なる第１のサービングセルおよび第２のサービングセルを設定することと、
前記第１のサービングセルで発生する第１の上りリンク物理チャネルの送信電力を算出するための第１の単位時間を設定することと、
前記第２のサービングセルで発生する第２の上りリンク物理チャネルの送信電力を算出するための第２の単位時間を設定することと、
を実行させる、プログラム。